(57)【要約】  【課題】  本発明は、上記課題に鑑みてなされたものであり、軽量であり、さらに設置後に内部および外部の圧力にも十分耐え、浄化槽内の容量を無駄なく利用して汚水を処理する浄化槽を提供することを目的としている。  【解決手段】  周囲にフランジを有した上槽と、周囲にフランジを有した下槽と、上記上槽と下槽とをフランジを介して接合した内部空間に配置される複数の仕切板とを備え、上記上槽の仕切板にて区画された最大容量部側壁厚みが、上槽の他区画側壁厚みと同等以下であり、上記下槽の仕切板にて区画された最大容量部側壁厚みが、下槽の他の区画側壁厚みと同等以上である浄化槽。  【選択図】  図１
2008055323.tif 000002
【特許請求の範囲】
【請求項１】
周囲にフランジを有した上槽と、周囲にフランジを有した下槽と、上記上槽と下槽とをフランジを介して接合した内部空間に配置される複数の仕切板とを備え、上記上槽の仕切板にて区画された最大容量部側壁厚みが、上槽の他区画側壁厚みと同等以下であり、上記下槽の仕切板にて区画された最大容量部側壁厚みが、下槽の他の区画側壁厚みと同等以上である浄化槽。
【発明の詳細な説明】
【技術分野】
【０００１】
本発明は、土中に埋設されて一般家庭等から排出される生活雑排水等を処理する浄化槽に関する。
【背景技術】
【０００２】
従来の浄化槽について、図４を用いて説明する。
この種の浄化槽において、槽体が少なくとも上槽１と下槽４の２つに分割されるフランジ接合方式の浄化槽では、一般に、周囲にフランジ３を有した上槽と、周囲にフランジ３を有した下槽と、上記上槽と下槽とをフランジ３を介して接合して組み立てられている。
【０００３】
浄化槽の内部には、浄化槽としての機能上内部を区画する複数の仕切板を有しており、嫌気槽、好気槽、および消毒槽など各機能別に区画されており、各区画は排水を効率よく浄化するための各種部材を充填し、流水路を設けてある。この種の浄化槽は、し尿処理だけの単独槽としても、あるいはし尿と家庭排水の両方を浄化処理する合併浄化槽としても使用できる。
【０００４】
また、この種の浄化槽は、合併処理としての用途が増加していく中で、大型化が進んでいる一方で、特許文献１に記載されるように、変形防止のため、凹凸形状のリブ構造２を設けて、構造体としての剛性を確保している。
【特許文献１】特許３１７７０７８号
【発明の開示】
【発明が解決しようとする課題】
【０００５】
しかしながら、特許文献１に示すものは、上下槽に凹凸リブ２を設けることで、浄化槽の内部および外部からの圧力に対応させようとしており、当該リブ２の数が増えれば増えるほど、浄化槽の重量が増え、必ずしも軽くて強い構造物が得られない。
また、リブによって、浄化槽内も凹凸が発生し、短絡流や死水域が発生しやすくなり、容量を無駄にしてしまう。
【０００６】
本発明は、上記課題に鑑みてなされたものであり、軽量であり、さらに設置後に内部および外部の圧力にも十分耐え、浄化槽内の容量を無駄なく利用して汚水を処理する浄化槽を提供することを目的としている。
【課題を解決するための手段】
【０００７】
本発明は、以下のものに関する。
（１）周囲にフランジを有した上槽と、周囲にフランジを有した下槽と、上記上槽と下槽とをフランジを介して接合した内部空間に配置される複数の仕切板とを備え、上記上槽の仕切板にて区画された最大容量部側壁厚みが、上槽の他区画側壁厚みと同等以下であり、上記下槽の仕切板にて区画された最大容量部側壁厚みが、下槽の他の区画側壁厚みと同等以上である浄化槽。
【発明の効果】
【０００８】
本発明によれば、浄化槽の重量を軽量化することができるとともに、浄化槽の外槽の材料費を低減することができる。
【発明を実施するための最良の形態】
【０００９】
本発明の浄化槽の１実施例について図１を用いて説明する。
浄化槽の上槽５は、天板６と長手方向の側壁７と短手方向の側壁８、８‘に囲まれて、周囲にフランジ９を有し、下側が開口していると共に、天板６のマンホール取付箇所１０、１１、１２には、マンホール形状に合わせた開口を有している。
また、仕切板の挿入部１３、１４、１５には、仕切板挿入時にガイドとなるように、リブが設けられている。このリブは、嫌気槽１６、１７、好気槽１８および処理水槽１９を仕切板で区分するために設けられている。
さらに、一方の短手方向の側壁８には、排水の流入口２０が設けられ、もう一方の短手方向の側壁８’には、処理水の流出口２１が設けられている。
【００１０】
浄化槽の下槽２２は、底板２３と、長手方向の側壁２４と、短手方向の側壁２５、２５‘に囲まれて、周囲にフランジ２６を有し、上側が開口している。
また、仕切板の挿入部２７、２８、２９には、仕切板挿入時にガイドとなるように、リブが設けられている。このリブは、嫌気槽１６、１７、好気槽１８および処理水槽１９を仕切板で区分するために設けられている。
【００１１】
図１に示す浄化槽の上槽５と下槽２２材質は、繊維強化プラスチック（ＦＲＰ）、塩化ビニル、ポリプロピレン、メタセシス重合性環状オレフィンによって形成される架橋重合体等が用いられるが、好ましくは、メタセシス重合性環状オレフィンによって形成される架橋重合体を用いられる。
【００１２】
架橋重合体を形成するためのメタセシス重合性環状オレフィンとしては、メタセシス重合性シクロアルケン基を分子中に１〜２個含有するものが使用される。好ましくは、ノルボルネン骨格を分子中に少なくとも１つ有する化合物である。これらの具体例としては、ジシクロペンタジエン、トリシクロペンタジエン、シクロペンタジエン−メチルシクロペンタジエン共二量体、５−エチリデンノルボルネン、ノルボルネン、ノルボルナジエン、５−シクロヘキセニルノルボルネン、１，４，５，８−ジメタノ−１，４，４ａ，５，６，７，８，８ａ−オクタヒドロナフタレン、１，４−メタノ−１，４，４ａ，５，６，７，８，８ａ−オクタヒドロナフタレン、６−エチリデン−１，４，５，８−ジメタノ−１，４，４ａ，５，６，７，８，８ａ−オクタヒドロナフタレン、６−エチリデン−１，４，５，８−ジメタノ−１，４，４ａ，５，６，７，８，８ａ−ヘプタヒドロナフタレン、１，４，５，８−ジメタノ−１，４，４ａ，５，６，７，８，８ａ−ヘキサヒドロナフタレン、エチレンビス（５−ノルボルネン）などを挙げることができ、これらの混合物も使用することができる。特にジシクロペンタジエンまたはそれを５０モル％以上、好ましくは７０モル％以上含む混合物が好適に用いられる。
【００１３】
図１に示す浄化槽の内部構造を、図２を用いて説明する。
浄化槽は、浄化槽としての機能上浄化槽内部に、区画するための仕切板３０、３１、３２が必要であるが、この仕切板３０、３１、３２は、隣接する嫌気槽１６と嫌気槽１７、嫌気槽１７と好気槽１８、好気槽１８と処理水槽１９を隔てるものであれば特に制限されるものではない。
しかしながら、浄化槽構造体として、内圧、外圧に対する変形防止には重要であり、該仕切板に剛性の高い材料あるいは構造とすることにより、浄化槽全体の変形を防止することができる。
【００１４】
浄化槽の組立後の状態を図３を用いて説明する。
浄化槽は、上槽５と下槽２２とを、フランジ９、２６を介して接合し、内部空間に仕切板３０、３１、３２を備え、上槽５の最大容量部側壁である上槽嫌気槽第１室３８の厚みが、上槽の他の区画側壁である上槽嫌気槽２側壁３９、上槽好気槽側壁４０、上槽処理水槽側壁４１の厚みと同等以下であり、下槽２２の仕切板にて区画された最大容量部側壁である下槽嫌気槽１側壁４２の厚みが、下槽の他の区画側壁である下槽嫌気槽２側壁４３、下槽好気槽側壁４４、下槽処理水槽側壁４５の厚みと同等以上とする。
【００１５】
最大容量部は、浄化槽全体に対し４０〜６０％の容積を占めているのが好ましく。より好ましくは、４５〜５５％の容積を占めている構造を好適に用いることができる。
また、最大容量部側壁厚みは、１０ｍｍ以下の厚みを有しているものが好ましく。より好ましくは、４ｍｍ以下の厚みを好適に用いることができる。
【００１６】
上槽の最大容量部側壁の厚みを他区画側壁の厚みと同等以下にできるのは、最大容量部側壁が、嫌気槽ろ床上部空間であるため、水圧による圧力がかかるのみであり、変形量が大きくても、槽の破損等に至らないレベルであれば、問題無いためである。
一方、上槽５のその他の側壁部は、上部にも、ろ材４７、４８およびろ材の押え部材５０ａ、５１ａが設けられており（図２参照）、ろ材４７、４８の漏れや押え部材５０ａ、５１ａの破損等を防ぐ必要があり、また、上部にはマンホールが近接して設けられているため、マンホールの枠部分の高低差が発生して、マンホールが閉まりづらくなる等の問題が発生する可能性があるため、肉厚を厚くして、変形を抑える必要がある。
このとき、リブ等で剛性をもたせても良いが、ろ材押さえ部材の形状等が複雑になり、短絡流が発生したり、死水域ができ易くなるため、肉厚で調整するほうが好ましい。
【００１７】
下槽２２の最大容量部側壁の厚みを他区画側壁の厚みと同等以上にする必要があるのは、最大容量部側壁は、水圧による圧力を支えるだけでなく、嫌気槽として固液分離された汚泥を貯留するため、他の側壁部にくらべかかる力が大きいためである。このとき、下槽２２の変形は、上槽５の変形量が大きいと、上槽５に引っ張られてフランジ部９、２６周辺において大きく変形してしまいそうだが、フランジ形状がリブと同様の効果を発揮して剛性をもつので、上槽５の変形の影響は少ない。
【実施例】
【００１８】
以下、実施例を挙げて、本発明を説明する。なお、実施例は説明のためのものであって、本発明はこれらに限定されるわけではない。まず、図１を用いて実施例を説明する。
図１の外形形状で、側壁の肉厚を変化させたものを実施例１として制作し、肉厚の同じものを比較例１として制作した。実施例１及び比較例１の浄化槽は、その材質を共にジシクロペンタジエンとした。
【００１９】
実施例１と比較例１の各浄化槽の容量、各区画間の寸法は、同じにしており、浄化槽内部の有効容量を２．０９１立米とし、嫌気槽１６の容量を１．０３５立米とし、嫌気槽１７の容量を０．５１７立米とし、好気槽１８の容量を０．４００立米とし、処理水槽１９の容量を０．１３９立米とし、各槽の比率を表１に示す。
但し、嫌気槽１（符号１６）と処理水槽（符号１９）の寸法は、外槽内面から仕切板までの寸法である。表１より最大容量部は嫌気槽１（符号１６）であることが分かる。
【００２０】
【表１】
2008055323.tif 000003
【００２１】
実施例１と比較例１との浄化槽の肉厚分布は、表２に示すようにした。表２より、実施例１において、最大容量部である嫌気槽１（符号１６）の上槽側壁３８の肉厚が３．５ｍｍとなっており他区画側壁の肉厚に対し同等以下となっている。最大容量部である嫌気槽１（符号１６）の下槽側壁４２の肉厚は、６．７ｍｍとなっており、他区画側壁肉厚に対し同等以上を確保していることが分かる。尚、表２に示す数値の単位は、全てｍｍである。
【００２２】
【表２】
2008055323.tif 000004
【００２３】
実施例１及び比較例１の浄化槽を用いて、ＪＩＳ  Ａ４１０１の剛性試験に基づき、槽内に規定水位まで水を張って変形量を測定した。ＪＩＳ  Ａ４１０１より、浄化槽としての本体剛性は、浄化槽高さの１．５％以下かつ最大幅の３．０％以下という品質基準がある。実施例１及び比較例１の浄化槽は、浄化槽高さが１７５０ｍｍ、最大幅が９８０ｍｍであることから、変形量は２６．３ｍｍ以下かつ２９．４ｍｍ以下であればよい。
【００２４】
表３は、実施例１と比較例１の浄化槽の、各部位の変形量を示す。表３の結果から、実施例１に示す浄化槽は、ＪＩＳ  Ａ４１０１の基準を満たしており、いずれの部分の変形量もろ材、ろ材押え部材およびろ材受け部材等の破損の発生等は無く、浄化槽の機能上問題無く、浄化槽を効率よく軽量化することが出来ていることが認められた。尚、表３に示す数値の単位は、全てｍｍである。
【００２５】
【表３】
2008055323.tif 000005
【００２６】
図３の外形形状で、側壁の肉厚を変化させたものを実施例２として制作し、肉厚の同じものを比較例２として制作した。実施例１及び比較例１の浄化槽は、その材質を共にジシクロペンタジエンとした。
【００２７】
実施例２と比較例２の各浄化槽の容量、各区画間の寸法は、同じにしており、浄化槽内部の有効容量を２．８４９立米とし、嫌気槽１６の容量を１．４６８立米とし、嫌気槽１７の容量を０．８４２立米とし、好気槽１８の容量を０．４００立米とし、処理水槽１９の容量を０．１３９立米とし、各槽の比率を表４に示す。
【００２８】
【表４】
2008055323.tif 000006
【００２９】
実施例２と比較例２との浄化槽の肉厚分布は、表５に示すようにした。表５より、実施例２において、最大容量部である嫌気槽１（符号１６）の上槽側壁３８の肉厚が３．５ｍｍとなっており他区画側壁の肉厚に対し同等以下となっている。最大容量部である嫌気槽１（符号１６）の下槽側壁４２の肉厚は、６．７ｍｍとなっており、他区画側壁肉厚に対し同等以上を確保していることが分かる。尚、表５に示す数値の単位は、全てｍｍである。
【００３０】
【表５】
2008055323.tif 000007
【００３１】
実施例２及び比較例２の浄化槽を用いて、ＪＩＳ  Ａ４１０１の剛性試験に基づき、槽内に規定水位まで水を張って変形量を測定した。ＪＩＳ  Ａ４１０１より、浄化槽としての本体剛性は、浄化槽高さの１．５％以下かつ最大幅の３．０％以下という品質基準がある。実施例２及び比較例２の浄化槽は、浄化槽高さが１７５０ｍｍ、最大幅が９８０ｍｍであることから、変形量は２６．３ｍｍ以下かつ２９．４ｍｍ以下であればよい。
【００３２】
表６は、実施例２と比較例２の浄化槽の、各部位の変形量を示す。表６の結果から、実施例２に示す浄化槽は、ＪＩＳ  Ａ４１０１の基準を満たしており、いずれの部分の変形量もろ材、ろ材押え部材およびろ材受け部材等の破損の発生等は無く、浄化槽の機能上問題無く、浄化槽を効率よく軽量化することが出来ていることが認められた。尚、表６に示す数値の単位は、全てｍｍである。
【００３３】
【表６】
2008055323.tif 000008
【００３４】
本発明の浄化槽は、通常の浄化槽内部と同じであり、嫌気槽、好気槽、消毒槽など各材能別に区画されており、各区画は排水を効率良く浄化するための各種部材を充填し、かつ流水路を設けてある。本発明の浄化槽はし尿処理だけのいわゆる単独槽としても、あるいはし尿と家庭排水の両方を浄化処理する合併処理浄化槽としても使用できる。特に本発明の浄化槽は大型化、特に内容積が２ｍ３以上のものに適しており、今後環境対策の上から需要の大きい合併浄化槽の用途に特に好適に用いることができる。
【図面の簡単な説明】
【００３５】
【図１】本発明の１実施例である浄化槽の外形形状。
【図２】図１に示す浄化槽の内部構造。
【図３】本発明の別の実施例である浄化槽の外形形状
【図４】従来の浄化槽の形状。
【符号の説明】
【００３６】
１…上槽、２…凹凸リブ、３…フランジ、４…下槽、５…上槽、６…天板、７…側壁、８，８‘…側壁、９…フランジ、１０…マンホール取付箇所、１１…マンホール取付箇所、１２…マンホール取付箇所、１３…上槽仕切板挿入部、１４…上槽仕切板挿入部、１５…上槽仕切板挿入部、１６…嫌気槽１、１７…嫌気槽２、１８…好気槽、１９…処理水槽、２０…流入口、２１…流出口、２２…下槽、２３…底板、２４…側壁、２５，２５‘…側壁、２６…フランジ、２７…挿入部、２８…挿入部、２９…挿入部、３０…仕切板、３１…仕切板、３２…仕切板、３７…消毒槽、３８…上槽嫌気槽１側壁、３９…上槽嫌気槽２側壁、４０…上槽好気槽側壁、４１…上槽処理水槽側壁、４２…下槽嫌気槽１側壁、４３…下槽嫌気槽２側壁、４４…下槽好気槽側壁、４５…下槽処理水槽側壁、４６…嫌気槽１ろ材、４７…嫌気槽２ろ材、４８…好気槽ろ材、４９ａ…ろ材押え部材、４９ｂ…ろ材受け部材、５０ａ…ろ材押え部材、５０ｂ…ろ材受け部材、５１ａ…ろ材押え部材、５１ｂ…ろ材押え・受け部材、５１ｃ…ろ材受け部材。
【図１】
2008055323.tif 000009
【図２】
2008055323.tif 000010
【図３】
2008055323.tif 000011
【図４】
2008055323.tif 000012